(57)【特許請求の範囲】
【請求項１】
扉枠と戸先側の室内側面が扉枠の戸先側竪枠の室外側に当接する扉とハンドル台座とシリンダー錠とを備え、
扉は、パネルの室内側に戸先側竪フレームを有し、
戸先側竪枠は、扉よりも室内側で且つ戸先側竪フレームに対して外周側にずれた位置に配置してあり、戸先側竪枠の内周側に室外側突出部を有し、室外側突出部が扉の戸先側竪フレームの戸先側端部と当接し、
シリンダー錠は、戸先側竪枠の内部に設けてあるとともに、戸先側竪枠の内周側面から出没するデッドボルトを有し、
ハンドル台座は、扉の室内側に取り付けてあるとともに室内側ハンドルを取り付けるものであり、且つシリンダー錠のデッドボルトと係合するデッドボルト受けを有していることを特徴とするドア。
【発明の詳細な説明】
【技術分野】
【０００１】
本発明は、住宅等の建築物に設けるドアに関する。
【背景技術】
【０００２】
住宅の玄関等に設ける扉において、従来は、躯体開口部に扉枠を設けて、この扉枠の内周面に収まるように開閉扉を設けてあった。
このようなドアであっては、一般に扉の一方の側縁部をヒンジ等にて軸着してあり、他方の戸先端面（見込み面）と扉枠内周端面との間に彫り込み錠等を設けてあった。
この場合に扉枠の内周面から扉をスムーズに開閉できるようにするために扉の戸先端面と扉枠内周端面との間に所定の隙間を設ける必要があり、この隙間にバール等の工具を差し込み扉をこじ開けたり、錠装置を破壊する危険性があった。
実開平６−８２３３７号公報には、上記隙間を解消すべく、戸先側において扉の室内側面と扉枠の室外側とが当接するようになっていて、扉枠の室外側面から錠受け具を突出させ、扉の室内側面にこの錠受け具を呑み込む凹部を形成するとともに、扉からこの錠受け具の側部に向けて出没するデッドボルト及びラッチボルトを設けた錠装置を開示する。
しかし、上記公報に開示の錠装置であっては、錠受け具（ストライク）を扉枠に設けたことから必然的にシリンダー錠は扉に設けることになるため、扉のパネルにシリンダー錠を組み込むスペースが必要となるため扉のパネルの材質や厚みに制限がでる。
しかもバール等で扉をこじ開けようとした際にデッドボルトを受けている錠受け具に負荷が集中しやすいがこの構造では、錠受け具を扉に呑み込まさなければならないために扉の厚みの制限を受けて錠受け具の強度を大きくすることが難しい。
実開平６−６２１８１号公報には、扉の室内側面を、壁面より突出した扉枠の縁辺に当接させる技術を開示するが、同公報に開示のドアは、扉に貫設したドアクローザーの係止杆を、縦枠に設けた係止孔に係合する構造になっているために、係合強度を高いものにしようとするとドアクローザーが大型化し、見映えが悪くなる。
また、ドアクローザーに連設した室外側把手（シリンダー錠）を扉に取り付けることになるので扉の室外側面に穴加工等が必要になり、コストアップになり、外観を損ねる。
【０００３】
【特許文献１】実開平６−８２３３７号公報
【特許文献２】実開平６−６２１８１号公報
【発明の開示】
【発明が解決しようとする課題】
【０００４】
本発明は、防犯性に優れ、扉の設計自由度が高いドアの提供を目的とする。
【課題を解決するための手段】
【０００５】
本発明に係るドアは、扉枠と戸先側の室内側面が扉枠の戸先側竪枠の室外側に当接する扉とハンドル台座とシリンダー錠とを備え、扉は、パネルの室内側に戸先側竪フレームを有し、戸先側竪枠は、扉よりも室内側で且つ戸先側竪フレームに対して外周側にずれた位置に配置してあり、戸先側竪枠の内周側に室外側突出部を有し、室外側突出部が扉の戸先側竪フレームの戸先側端部と当接し、シリンダー錠は、戸先側竪枠の内部に設けてあるとともに、戸先側竪枠の内周側面から出没するデッドボルトを有し、ハンドル台座は、扉の室内側に取り付けてあるとともに室内側ハンドルを取り付けるものであり、且つシリンダー錠のデッドボルトと係合するデッドボルト受けを有していることを特徴とする。
【発明の効果】
【０００６】
本発明に係るドアにおいては、扉の室内側面が扉枠の室外側に当接し、シリンダー錠を扉枠の戸先側竪枠に設けるとともに、デッドボルト受けを、扉の室内側ハンドルを取り付けるためのハンドル台座に設けたことにより、バール等をデッドボルトとデッドボルト受けの間に差し込み難くなり、しかも仮に室外側ハンドルを破壊しても戸先側竪枠内に設けたシリンダー錠のデッドボルトと室内側のハンドル台座のデッドボルト受けとが係合しているため防犯性に優れる。
また、シリンダー錠を扉枠の戸先側竪枠に設けたことにより、シリンダー錠を大型で係合強度の高いものにする場合であっても、室内側のハンドル台座はデッドボルト受けを設けるだけなので小型化することができ、扉の厚みや材質に制限が無くその分だけ扉の設計自由度が高くなる。
さらに、シリンダー錠取付けのための扉への穴加工等が不要なので扉の外観を損ねることがない。
戸先側竪枠が、扉よりも室内側で且つ戸先側竪フレームに対して外周側にずれた位置に配置してあり、戸先側竪枠の内周側に室外側突出部を有し、室外側突出部が扉の戸先側竪フレームの戸先側端部と当接するようにしたので、戸先側竪枠の見付面を有効活用できると共に、扉と戸先側竪枠との間にバール等の工具を差し込んだとしても、室外側突出部があるためデッドボルトに工具が届きにくく、且つ扉が戸先側竪フレームで補強されているので、防犯性が高い。
【発明を実施するための最良の形態】
【０００７】
本発明に係るドアの実施の形態を以下図面に基づいて説明する。
図４に玄関等に設けた本発明に係るドアの外観図を示し、図４（ａ）が室外側から見た外観図で図４（ｂ）が室内側から見た外観図である。
図４（ａ）に示したＡ−Ａ線断面図を図５に示し、Ｂ−Ｂ線断面図を図６に示す。
躯体１に形成した開口部に扉枠４０を取り付けて、この扉枠４０に開閉自在に扉１０を取り付けてある。
【０００８】
扉枠４０は、戸先側竪枠４１、吊元側竪枠４２及び上枠４３にて構成し、これらの枠はアルミ押出形材等で製作してある。
扉１０は、パネル１０ａの室内側に、戸先側竪フレーム１１、吊元側竪フレーム１２、上フレーム１３及び下フレーム１４からなるフレーム体を取り付けてあり、吊元側竪枠４２に対してヒンジ１５等を用いて扉が開閉自在になるように軸着してある。
戸先側竪フレーム１１、吊元側竪フレーム１２及び上フレーム１３はアルミ押出形材等で製作してあり、外周側コーナー部にタイト材ホルダーを形成し、タイト材１１ａ、１２ａ、１３ａをそれぞれ取り付けてある。
扉枠４０を構成する戸先側竪枠４１及び吊元側竪枠４２には室外側突出部４１ａ、４２ａを形成してあり、扉１０が閉じた際に扉の室内側に位置しているタイト材１１ａ、１２ａが上記扉枠４０の室外側面に設けた室外側突出部に当接するようになっている。
このときに、上フレーム１３に取り付けたタイト材１３ａも上枠４３に当接するようになっていて、下フレーム１４はタイトバー１４ａが下降して下枠４４に当接するようになっている。
また、扉１０が開く際には、図６を見ると分かるようにパネル１０ａの吊元側端部１０ｂが室外側突出部４２ａを回り込むようにして凹部４２ｂに移動するので扉の開閉性が良い。
【０００９】
次に扉１０の施錠構造について説明する。
図１は扉１０を室外側に少し開けた状態の要部図を示し、図２はシリンダー錠５０ａから出没するデッドボルト５１ａとデッドボルト受け２２ａとの関係を示し、図３はラッチ錠のラッチ６０とラッチ受け６１との関係を示す。
扉１０のパネル１０ａの戸先よりであって室内側面に取り付けた戸先側竪フレーム１１に、ハンドル台座２１ａ、２１ｂを上下に取り付けてあり、この上下のハンドル台座２１ａ、２１ｂを渡すように室内側ハンドル２０を設けてある。
扉１０の室外側には、パネル１０ａの戸先端面から室外側に突出するように室外側ハンドル台座３１ａ、３１ｂを上下に設けて、その先に室外側ハンドル３０を設けてある。
図１及び図３に示すように、上部の室外側ハンドル台座３１ａにはラッチ６０を有し、戸先側竪枠４１には、その室外側にラッチ受け６１を有している。
本実施例で示したラッチ錠はラッチ６０の先端に係止凹部６０ａを形成し、この係止凹部６０ａがラッチ受け６１に設けた係合バー６１ａに係合するようになっているがラッチ錠の構造はこれに限定されるものではない。
ラッチ６０の先端が上下に回動することで施錠及び解錠するようになっていて、図３に示すようにラッチ６０は、室内側ハンドル２０とリンク機構６２にて連結してあるとともに、室外側ハンドル３０とはリンク機構６３にて連結してある。
室内側ハンドル２０は扉１０の開き動作に合わせて押すように操作することでラッチが解錠し、室外側ハンドル３０は扉の前に立って手前に引くように操作することでラッチが解錠するようになっていて、扉の開き動作と方向が一致している。
また、室内外のハンドル台座は、リンク機構で連結しやすいように、扉に対する上下方向の取り付け高さが概ね一致している。
【００１０】
図１及び図２に示すように、扉枠４０の戸先側竪枠４１の内部にはシリンダー錠５０ａ、５０ｂを設けてあり、デッドボルト５１ａ、５１ｂが戸先側竪枠４１の内周面から扉側に向けて出没するようになっていて、室外側からはキー溝５３ａ、５３ｂにキーを挿入して操作し、室内側からはつまみ５２ａ、５２ｂにて施錠・解錠操作するようになっている。
扉１０のハンドル台座２１ａ、２１ｂにはデッドボルト受け２２ａ、２２ｂを設けてあり、扉１０を閉じてシリンダー錠を施錠する際にデッドボルト５１ａ、５１ｂと係合する。
ハンドル台座の構造を図２に示したハンドル台座２１ａにて説明すると、室内側ハンドル２０を配設するハンドル連結部１２１ｂと、金具製等のデッドボルト受け２２ａを取り付ける金具取付部１２１ａとからなり、この金具取付部１２１ａにビス等の固定部材１２２ａを用いてデッドボルト受け２２ａを取り付けてある。
ハンドル台座２１ａはパネル１０ａに直接取り付けてもよいが、矩形の中空断面からなる戸先側竪フレーム１１に取り付けることで取付強度を確保しやすく、リンク機構６２等を内臓しやすい。
なお、本実施例では戸先側竪枠４１ａ内部の上下二箇所にシリンダー錠を設け、上下のハンドル台座２１ａ、２１ｂにそれぞれデッドボルト受け２２ａ、２２ｂを対応させて設けた二施錠タイプを示したが少なくとも一つ以上施錠できればシリンダー錠の数に制限はない。
また、ハンドル台座の形状や構造もシリンダー錠のデッドボルトと係合するためのデッドボルト受けを設けることができれば実施例に限定されない。
このように、扉の室内側に取り付けたハンドル台座にデッドボルト受けを形成し、扉枠の内周面からデッドボルトを出没させるようにしたので、扉の室外側からこの施錠部が見えないだけでなく、バール等を差し込む隙間がないので防犯性が高い。
【図面の簡単な説明】
【００１１】
【図１】本発明に係るドアの施錠部を示す。
【図２】シリンダー錠で扉をロックした状態を示す。
【図３】ドアのラッチ錠部分を示す。
【図４】ドアの外観図を示す。
【図５】ドアのＡ−Ａ線断面を示す。
【図６】ドアのＢ−Ｂ線断面図を示す。
【符号の説明】
【００１２】
１０    扉
２０    室内側ハンドル
２１ａ  ハンドル台座
２２ａ  デッドボルト受け
３０    室外側ハンドル
３０ａ  室外側ハンドル台座
４０    扉枠
４１    戸先側竪枠
４２    吊元側竪枠
５０ａ  シリンダー錠
５１ａ  デッドボルト
【図１】
0004726669.tif 000002
【図２】
0004726669.tif 000003
【図３】
0004726669.tif 000004
【図４】
0004726669.tif 000005
【図５】
0004726669.tif 000006
【図６】
0004726669.tif 000007